【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
ロール状に巻回されたテープが装着されるリール（２０，１２０）と、
前記リール（２０，１２０）が取り付けられる軸部材（４０，１２１）と、
正面部（１１，１１１）に前記軸部材（４０，１２１）の一端が取り付けられる一端取付部（１３ａ，１３ｂ，１１３ａ，１１３ｂ）を有するホルダ部材（１０，１１０）と、
前記軸部材（４０，１２１）の他端が取り付けられる他端取付部（３２，１３２）と、該他端取付部（３２，１３２）に連続する脚部（３１，１３１）と、を有する他端取付部材（３０，１３０）と、を有するテープカッター（１，１０１）であって、
前記正面部の一側に上下２つの切断部（１４ａ，１４ｂ，１１４ａ，１１４ｂ）を設け、前記軸部材（４０，１２１）の前記一端を前記一端取付部（１３ａ，１３ｂ，１１３ａ，１１３ｂ）に取り付け可能に構成し、該軸部材（４０，１２１）の前記他端に前記他端取付部（３２，１３２）を取り付け可能に構成したことを特徴とするテープカッター。
【請求項２】
前記一端取付部（１３ａ，１３ｂ，１１３ａ，１１３ｂ）は、上方に設けられた前記切断部（１４ａ，１１４ａ）を使用する際に前記軸部材（４０，１２１）が支持される第１の取付部（１３ａ，１１３ａ）と、下方に設けられた前記切断部（１４ｂ，１１４ｂ）を使用する際に前記軸部材（４０，１２１）が支持される第２の取付部（１３ｂ，１１３ｂ）と、からなることを特徴とする請求項１に記載のテープカッター。
【請求項３】
前記他端取付部材（３０，１３０）の前記脚部（３１，１３１）には、前記第１の取付部（１３ａ，１１３ａ）に前記軸部材（４０，１２１）が取り付けられた際に、前記第２の取付部（１３ｂ，１１３ｂ）に嵌合する嵌合部（３３，１３３）が設けられていることを特徴とする請求項２に記載のテープカッター。
【請求項４】
前記リール（２０）は、軸部材（４０）に対して回転可能に取り付けられており、
前記軸部材（４０）の前記他端には、前記リール（２０）の抜け止めを可能とするフランジ部（４３）が設けられ、該フランジ部（４３）に設けられた切欠部（４１）を介して前記他端取付部（３２）に嵌合されることを特徴とする請求項１〜請求項３のいずれか１つの請求項に記載のテープカッター。
【請求項５】
前記第１及び第２の取付部（１３ａ，１３ｂ）には、円弧状の摺動路（６０ａ、６０ｂ）が形成されており、該摺動路（６０ａ、６０ｂ）を移動可能な突起部（４５）を前記軸部材（４０）の一端嵌合部（４２）に設けたことを特徴とする請求項４に記載のテープカッター。
【請求項６】
前記他端取付部材（３０）の前記嵌合部（３３）に、前記第２及び第１の取付部（１３ｂ，１３ａ）の前記摺動路（６０ｂ、６０ａ）を移動可能な脚部突起部（３５）を設け、
該脚部突起部（３５）が前記摺動路（６０ｂ、６０ａ）を移動することによって前記他端取付部材（３０）が回転し、前記他端取付部（３２）と前記軸部材（４０）のフランジ部（４３）に設けられた切欠部（４１）との嵌合が外れるように構成されたことを特徴とする請求項５に記載のテープカッター。
【請求項７】
切断部（１４ａ，１４ｂ、１１４ａ，１１４ｂ）の少なくとも１つを、切断刃を脱着できるようにし、切断刃が取り外された部位に、台座部材を取り付けることができるように構成されたことを特徴とする請求項１〜請求項６の何れか１つの請求項に記載のテープカッター。
【手続補正２】
【補正対象書類名】明細書
【補正対象項目名】０００６
【補正方法】変更
【補正の内容】
【０００６】
上記課題を解決するために、ロール状に巻回されたテープが装着されるリールと、前記リールが取り付けられる軸部材と、正面部に前記軸部材の一端が取り付けられる一端取付部を有するホルダ部材と、前記軸部材の他端が取り付けられる他端取付部と該他端取付部に連続する脚部とを有する他端取付部材と、を有するテープカッターであって、前記正面部の一側に上下２つの切断部を設け、前記軸部材の前記一端を前記一端取付部に取り付け可能に構成し、該軸部材の前記他端に前記他端取付部を取り付け可能に構成したことを特徴とする。
【手続補正３】
【補正対象書類名】明細書
【補正対象項目名】０００９
【補正方法】変更
【補正の内容】
【０００９】
また、前記リールは、軸部材に対して回転可能に取り付けられており、前記軸部材の前記他端には、前記リールの抜け止めを可能とするフランジ部が設けられ、該フランジ部に設けられた切欠部を介して前記他端取付部に嵌合されることを特徴とするものであってもよい。
この場合、前記第１及び第２の取付部には、円弧状の摺動路が形成されており、該摺動路を移動可能な突起部を前記軸部材の前記一端嵌合部に設けてもよい。
この場合、前記他端取付部材の前記嵌合部に、前記第１及び第２の取付部の前記摺動路を移動可能な脚部突起部を設け、該脚部突起部が前記摺動路を移動することによって前記他端取付部材が回転し、前記他端取付部と前記軸部材のフランジ部に設けられた切欠部との嵌合が外れるように構成してもよい。
【手続補正４】
【補正対象書類名】明細書
【補正対象項目名】００１０
【補正方法】変更
【補正の内容】
【００１０】
また、切断部の少なくとも１つを、切断刃を脱着できるようにし、切断刃が取り外された部位に、台座部材を取り付けることができるように構成してもよい。
【手続補正５】
【補正対象書類名】明細書
【補正対象項目名】００１３
【補正方法】変更
【補正の内容】
【００１３】
また、軸部材の一端を、ホルダ部材の一端取付部に取り付け可能に構成したので、軸部材の一端部を、ホルダ部材の一端取付部から取り外すことによって、リールに装着されたテープの交換が容易にできる。
【手続補正６】
【補正対象書類名】明細書
【補正対象項目名】００１４
【補正方法】変更
【補正の内容】
【００１４】
なお、このリールに装着されるテープは、帯状のものであっても、線状のものであってもよい。また、粘着性を有するものであってもよい。
【手続補正７】
【補正対象書類名】明細書
【補正対象項目名】００１６
【補正方法】変更
【補正の内容】
【００１６】
ホルダ部材の正面部の上端部から第１の取付部までの長さと、正面部の下端部から第２の取付部までの長さが、同一になるようにした場合は、ホルダ部材を上下反転して使用する際に、他端取付部材を共通化できる。また、上下反転しても、同一高さにテープを支持することができる。
また、他端取付部材の脚部の下端から嵌合部までの高さを、ホルダ部材の正面部の上端部または下端部から一端取付部までの長さと同一にした場合は、ホルダ部材を上下反転して使用する場合であっても、安定した位置でテープを保持することができる。
【手続補正８】
【補正対象書類名】明細書
【補正対象項目名】００１７
【補正方法】変更
【補正の内容】
【００１７】
請求項４に係る発明は、軸部材に、ホルダ部材の一端取付部に嵌合可能な一端嵌合部を設けると共に、他端にリールの抜け止めを可能とするフランジ部を設け、そのフランジ部に、他端取付部材と嵌合可能な切欠部を設けたので、下方の切断部を使用するためにホルダ部材を上下反転させる際に、他端取付部材の取り外しが容易にできる。
請求項５に係る発明は、ホルダ部材の一端取付部には、円弧状の摺動路が形成されており、その摺動路を移動可能な突起部を軸部材の一端嵌合部に設けたので、軸部材を回動することによって、突起部が摺動路を移動し、軸部材と一端取付部との嵌合状態が解除される。
これによって、軸部材をホルダ部材から容易に取り外すことができ、テープの付け替えが容易にできる。
【手続補正９】
【補正対象書類名】明細書
【補正対象項目名】００１８
【補正方法】変更
【補正の内容】
【００１８】
請求項６に係る発明は、他端取付部材の嵌合部に、ホルダ部材の一端取付部の摺動路を移動可能な脚部突起部を設けたので、他端取付部材を回動することによって、脚部突起部が摺動路を移動し、他端取付部材とホルダ部材との嵌合状態が解除される。
これによって、他端取付部材をホルダ部材から容易に取り外すことができるので、ホルダ部材を上下反転させた状態でテープカッターを使用する際に効率的である。
【手続補正１０】
【補正対象書類名】明細書
【補正対象項目名】００１９
【補正方法】変更
【補正の内容】
【００１９】
また、他端取付部材の脚部突起部が摺動路を移動することによって他端取付部材が回転し、嵌合部と軸部材の切欠部との嵌合が外れるので、他端取付部材の脚部等を押して回転させることによって、他端取付部材を軸部材から取り外すことができる。
これによって、ホルダ部材を上下反転させた状態でテープカッターを使用する際に、他端取付部材をホルダ部材から取り外す操作と、他端取付部材を軸部材から取り外す操作とを円滑なものとすることができる。
【手続補正１１】
【補正対象書類名】明細書
【補正対象項目名】００２０
【補正方法】変更
【補正の内容】
【００２０】
請求項７に係る発明は、切断部の少なくとも１つを、切断刃を脱着できるようにし、切断刃が取り外された部位に、台座部材を取り付けることができるように構成したので、ホルダ部材を一層の安定的に設置できる。
【手続補正１２】
【補正対象書類名】明細書
【補正対象項目名】００４５
【補正方法】変更
【補正の内容】
【００４５】
なお、本実施形態に係るテープカッターは、ロール状に巻回されたテープが装着されるリール２０と、リール２０が回転可能に取り付けられる軸部材４０と、正面部１１に軸部材４０の一端が取り付けられる一端取付部１３ａを有するホルダ部材と、軸部材４０の他端が取り付けられる他端取付部材３０と、を有するテープカッターであって、正面部の一側に上下２つの切断部１４ａ，１４ｂを設け、軸部材４０の一端に一端嵌合部４２を設け、軸部材４０の他端に、リール２０の抜け止めを可能とするフランジ部４３を設けると共に、フランジ部４３に、他端取付部３２と嵌合可能な切欠部４１を設ける態様を備えておればよく、例えば、一端取付部１３ａを一つの開口のみで構成してもよいし、他端取付部材３０の脚部３１においてホルダ部材１０に組み付けていなくても良い。